(57)【特許請求の範囲】
【請求項１】
電子電気機器収納用キャビネットの筐体の側板部及び背板部の何れかに排気フードを取り付け、前記排気フードは四角箱形状として排気方向の異なる排気口形成用開口を両側面に縦長に背面に横長に形成してなり、前記背面に横長に形成した排気口形成用開口の横方向の長さを側面に形成した縦長の排気口形成用開口の縦方向の長さと同一寸法とし、縦幅の寸法を縦長の排気口形成用開口の横幅の寸法の倍として、前記両側面の排気口形成用開口を夫々閉塞できる２枚のカバー部材により背面に横長に形成した排気口形成用開口を閉塞できるものとして、前記両側面に形成した排気口形成用開口と前記背面に形成した排気口形成用開口の１箇所を選択して排気口に形成して、他の排気口形成用開口をカバー部材により閉塞したことを特徴とする電気電子機器収納用キャビネットの排気構造。
【請求項２】
排気フード内に防音材を貼付した請求項１に記載の電気電子機器収納用キャビネットの排気構造。
【請求項３】
吸気孔を筐体の底板部の扉側である前方に設けた請求項１又は２に記載の電気電子機器収納用キャビネットの排気構造。
【発明の詳細な説明】
【技術分野】
【０００１】
本発明は、電気・電子機器を収納する電気電子機器収納用キャビネットの排気構造に関するものである。
【背景技術】
【０００２】
従来の電気電子機器収納用キャビネットの排気構造は、電子電気機器収納用キャビネットの筐体の背板部の外面に取り付けた排気フードに設けた排気口から一定方向に排気するものであった（特許文献１参照）。
【０００３】
ところが、前記のような従来のものは、排気フードに設けた排気口の排気方向が固定されているため電気電子機器収納用キャビネットの設置箇所や設置向きによっては、排気口が適正な排気方向を向かないことがある。すなわち、排気フードの風の吹き出し方向に壁面や別のキャビネットが隣接している場合には、隣接している方向への排気は好ましいものではない。そのため、異なる排気方向の排気口を設けた排気フードに取り替える必要がある。
【０００４】
しかしながら、このように排気フードを取り替えることは、異なる排気方向の排気口を設けた排気フードを複数種用意しなければならずコスト高となり、また、設置場所において排気方向が決まる場合には現場で迅速な対応ができない問題もある。
【特許文献１】実用新案登録第３１２２２８３号登録実用新案公報（図３、図６）
【発明の開示】
【発明が解決しようとする課題】
【０００５】
本発明は前記のような従来の問題点を解決して、電子電気機器収納用キャビネットの筐体に取り付けた排気誘導用の排気フードに設けた排気口を選択して排気方向を変更することができる電気電子機器収納用キャビネットの排気構造を提供する。
【課題を解決するための手段】
【０００６】
本発明の電気電子機器収納用キャビネットの排気構造は、電子電気機器収納用キャビネットの筐体の側板部及び背板部の何れかに排気フードを取り付け、前記排気フードは四角箱形状として排気方向の異なる排気口形成用開口を両側面に縦長に背面に横長に形成してなり、前記背面に横長に形成した排気口形成用開口の横方向の長さを側面に形成した縦長の排気口形成用開口の縦方向の長さと同一寸法とし、縦幅の寸法を縦長の排気口形成用開口の横幅の寸法の倍として、前記両側面の排気口形成用開口を夫々閉塞できる２枚のカバー部材により背面に横長に形成した排気口形成用開口を閉塞できるものとして、前記両側面に形成した排気口形成用開口と前記背面に形成した排気口形成用開口の１箇所を選択して排気口に形成して、他の排気口形成用開口をカバー部材により閉塞したことを特徴とするものを基本の発明とする。
【０００８】
また、排気フード内に防音材を貼付したり、吸気孔を筐体の底板部の扉側である前方に設けてもよいものである。
【発明の効果】
【０００９】
前記した本発明の電気電子機器収納キャビネットの排気構造は、電子電気機器収納用キャビネットの筐体の側板部及び背板部の何れかに取り付けた排気フードに少なくとも２箇所設けた排気方向の異なる排気口形成用開口の１箇所を選択して排気口に形成して、また、他の排気口形成用開口をカバー部材により閉塞したものであるので、排気フードを取り替えることなく排気方向を変更して適切な排気方向を採ることができ、現場において迅速な対応が可能となるものである。
【００１０】
また、排気口を形成した排気口形成用開口を他の排気口形成用開口を閉塞するカバー部材により閉塞できる形状とすることにより、同一のカバー部材が全ての排気口形成用開口に対応でき、カバー部材を保管するための手段を不要とするものである。
【００１１】
また、排気フード内に防音材を貼付したものとすると、電気電子機器収納キャビネットに収納する電気電子機器がサーバのように搭載した冷却ファンの音等の騒音がキャビネットの外に洩れることを防止できるものである。さらに、吸気孔を筐体の底板部の前方に設けものとすると、最も温度の低い最下層の空気がキャビネット内に導入されて効率のよい排熱を行うことできるものである。また、サーバのように前側から吸気して後側から排熱する電気電子機器を収納した場合にはキャビネット前方より冷気を供給できるのでより効果を発揮するものである。
【発明を実施するための最良の形態】
【００１２】
次に、本発明の好ましい実施の形態を図に基づき説明する。
図１において、１は電気電子機器収納キャビネットの筐体であり、該筐体１は、多数のフレームを直方体状に組み合わせたフレーム構造体１０に側板部２、２、背板部３、天板部４及び底板部５を取り付けて前面に形成される開口１１を透視窓６ａ付きの扉６により開閉してなるものである。なお、少なくとも側板部２、２、背板部３はネジ等で容易に着脱できるものとして側板部２、２、背板部３を外して電気電子機器の収納作業や配線作業を容易なものとしている。
【００１３】
前記筐体１は側板部２、２及び背板部３の何れかの外面に排気フード７を取り付けてこれに対応して側板部２、２及び背板部３の何れかに設けた排気孔８からの排熱を誘導して筐体１の外部に排出するものである。なお、図２に示すように排気フード７は背板部３の外面に着脱自在に取り付けて該背板部３の上部に設けた排気ファン８ａ付きの排気孔８に対応させたうえ、排熱を後述する排気口７１ａに誘導するものである。
【００１４】
また、前記排気フード７は排気方向の異なる排気口形成用開口７１を少なくとも２箇所設けてあり、その排気方向の異なる排気口形成用開口７１の１箇所を選択して排気口７１ａに形成して、また、他の排気口形成用開口７１をカバー部材９により閉塞している。すなわち、図１に示すように排気フード７は四角箱形状として排気口形成用開口７１を両側面７ａ、７ａに縦長に背面７ｂの下方に横長に形成してある。そして、両側面７ａ、７ａに形成した排気口形成用開口７１、７１を排気口７１ａに形成して、他方背面７ｂに形成した排気口形成用開口７１をカバー部材９により閉塞している。なお、図２に示すものは排気口７１ａを背面７ｂに形成したものとし、両側面７ａ、７ａに形成した排気口形成用開口７１、７１をカバー部材９で閉塞している。
【００１５】
これにより、排気方向の異なる排気口形成用開口７１の１箇所を選択して排気口７１に形成して、また、他の排気口形成用開口７１をカバー部材９により閉塞して、排気フード７を取り替えることなく排気方向を変更して設置箇所において適切な排気方向を取るることができるものである。なお、排気口形成用開口７１は排気フード７の底面に形成して排気方向の選択の自由度をより高いものとしてもよい。
【００１６】
また、排気口７１ａを形成した排気口形成用開口７１を他の排気口形成用開口７１を閉塞するカバー部材９により閉塞できる形状として、同一のカバー部材９が全ての排気口形成用開口７１に対応できるものとして、カバー部材９を保管するための手段を不要とするものである。
【００１７】
例えば、前記したように排気口形成用開口７１を両側面７ａ、７ａに縦長に、背面７ｂの下方に横長に形成したものにあっては、背面７ｂの下方に横長に形成した排気口形成用開口７１の横方向の長さを側面７ａに形成した縦長の排気口形成用開口７１の縦方向の長さと同一寸法とし、縦幅の寸法を縦長の排気口形成用開口７１の横幅の寸法の倍として、両側側面７ａ、７ａの排気口形成用開口７１、７１を夫々閉塞できる２枚のカバー部材９により背面７ｂの下方に横長に形成した排気口形成用開口７１を閉塞できるものとしている。
【００１８】
また、前記した排気フード７内に防音材７２を貼付してあり、電気電子機器収納キャビネットに収納する電気電子機器がサーバのように搭載した冷却ファンの音等の騒音がキャビネットの外に洩れることを防止できるものである。この場合に筐体１の内面にも防音材７２を貼付していることが好ましいことは勿論である。
【００１９】
なお、筐体１内に冷却用空気を導入する吸気孔１２は側板部２、２や扉６に設けてもよいものであるが、図示のようにを筐体１の底板部５の前方に設けものとすると、最も温度の低い最下層の空気がキャビネット内に導入されて効率のよい冷却を行うことできるものである。また、サーバのように前側から吸気して後側から排熱する電気電子機器を収納した場合にはより効果を発揮するものである。この場合に底板部５の外面に吸気用フード１２ａを設けて吸気口１２ｂを後向きに形成したものとすれば筐体１内の音が外部に洩れる量が低減できるものである。なお、吸気用フード１２ａにも防音材を貼付することが好ましいものである。
【図面の簡単な説明】
【００２０】
【図１】本発明の実施形態を背面方向から示す斜視図。
【図２】本発明の実施形態を背面方向から示す一部切欠斜視図。
【図３】本発明の実施形態を断面図。
【図４】本発明の実施形態を背面方向から排気用フードを除いて示す一部切欠斜視図。
【図５】本発明の実施形態に使用する排気用フードの一例を示す斜視図。
【図６】本発明の実施形態を前面方向から示す斜視図。
【図７】本発明の実施形態を示す正面図。
【図８】本発明の実施形態を示す背面図。
【符号の説明】
【００２１】
１  筐体
２  側板部
３  背板部
５  底板部
７  排気用フード
９  カバー部材
12  吸気孔
71  排気口形成用開口
71a  排気口
【図１】
0004919428.tif 000002
【図２】
0004919428.tif 000003
【図３】
0004919428.tif 000004
【図４】
0004919428.tif 000005
【図５】
0004919428.tif 000006
【図６】
0004919428.tif 000007
【図７】
0004919428.tif 000008
【図８】
0004919428.tif 000009